(57)【特許請求の範囲】
【請求項１】
間隔をあけて配置される３本以上の支柱と、
その支柱の内の隣り合う支柱間に複数枚が自身の厚さ方向に重ねて配設される扉と、
その扉を地面から離隔して保持する保持位置と前記支柱に沿って落下した前記扉の高さ方向の落下位置とを異ならせる落下装置と、
その落下装置により落下した前記扉の高さ方向の落下位置を複数枚の前記扉の間で異ならせる落下規制部と、
前記支柱の内の隣り合う支柱間の上部に架設される横部材と、
前記保持位置において重ねて配置される他の扉へ向けて前記扉から張り出す張出部と、を備え、その張出部により前記扉は複数枚が鉛直方向に干渉し、
前記落下装置は、前記横部材に配置されると共に、前記保持位置にある前記扉のうち、前記落下位置において鉛直方向の最も下に位置する扉を支持し、通電により作動して前記扉を落下させることを特徴とする捕獲装置。
【請求項２】
前記落下装置は、前記保持位置にある前記扉のうち、前記落下位置において鉛直方向の最も下に位置する扉を支持する磁石装置を備え、
その磁石装置は、通電されることで吸着力が弱まり前記扉を落下させることを特徴とする請求項１記載の捕獲装置。
【請求項３】
間隔をあけて配置される３本以上の支柱と、
その支柱の内の隣り合う支柱間に複数枚が自身の厚さ方向に重ねて配設される扉と、
その扉を地面から離隔して保持する保持位置と前記支柱に沿って落下した前記扉の高さ方向の落下位置とを異ならせる落下装置と、
その落下装置により落下した前記扉の高さ方向の落下位置を複数枚の前記扉の間で異ならせる落下規制部と、を備え、
前記扉は、前記扉の落下位置で、上方に位置する前記扉に干渉する干渉部を備えていることを特徴とする捕獲装置。
【請求項４】
前記支柱の内の隣り合う支柱間の上部に架設される横部材を備え、
その横部材は、前記保持位置で前記扉の厚さ方向に前記扉に重ねて落下不能に配置される固定板を備えていることを特徴とする請求項３記載の捕獲装置。
【請求項５】
前記扉は、前記扉の落下位置で、前記横部材に干渉する干渉部を備えていることを特徴とする請求項１，２又は４に記載の捕獲装置。
【請求項６】
前記横部材は、前記横部材で囲まれた領域を覆う網状体が取り付けられていることを特徴とする請求項１，２，４又は５に記載の捕獲装置。
【発明の詳細な説明】
【技術分野】
【０００１】
本発明は、イノシシやシカ等の野生動物を捕獲する捕獲装置に関するものである。
【背景技術】
【０００２】
近年、山間部近郊においてイノシシ、シカ等の野生動物による農作物の被害が深刻化している。被害を防ぐため、野生動物を捕獲する技術が提案されている（特許文献１）。特許文献１には、間隔をあけて配置される３本以上の支柱と、その支柱の内の隣り合う支柱間に配設される扉と、その扉を地面から離隔して保持し、支柱で囲まれた領域（捕獲領域）に野生動物が入ると扉を落下させる落下装置とを備えた捕獲装置が開示されている。特許文献１に開示される技術では、野生動物の警戒心を解いて野生動物が捕獲領域に入るように、地面に対してある程度の高さに扉が保持される。その扉の下を野生動物が通過して捕獲領域に入った後、落下装置によって扉を一斉に落下させ、野生動物を扉で包囲し捕獲する。
【先行技術文献】
【特許文献】
【０００３】
【特許文献１】特開２０１４−１２８２２３号公報
【発明の概要】
【発明が解決しようとする課題】
【０００４】
しかしながら上記従来の技術では、野生動物が通過し易いように、扉を地面から離隔したときの地面から扉の下端までの高さを確保すると、地面から扉の上端までの高さが高くなるという問題点がある。
【０００５】
本発明は上述した問題点を解決するためになされたものであり、扉を地面から離隔したときの高さを低くできる捕獲装置を提供することを目的とする。
【課題を解決するための手段および発明の効果】
【０００６】
この目的を達成するために請求項１記載の捕獲装置によれば、３本以上の支柱が間隔をあけて配置され、その支柱の内の隣り合う支柱間に複数枚が重なって扉が配設される。落下装置は、地面から離隔して保持する扉の保持位置と、支柱に沿って落下した扉の落下位置とを異ならせる。落下規制部は、落下装置により落下した扉の落下位置を複数枚の扉の間で異ならせる。複数枚の扉を重ねるので、保持位置における地面から扉の下端までの高さを確保しつつ、地面から扉の上端までの高さを低くできる。
支柱の内の隣り合う支柱間の上部に横部材が架設され、横部材に落下装置が配置される。保持位置において重ねて配置される他の扉へ向けて扉から張出部が張り出し、その張出部により扉は複数枚が鉛直方向に干渉する。落下装置は、保持位置にある扉のうち、落下位置において鉛直方向の最も下に位置する扉を支持し、通電により作動して扉を落下させる。よって、扉の数に比べて落下装置の数を少なくできる。
【０００７】
請求項２記載の捕獲装置によれば、磁石装置は、保持位置にある扉のうち、落下位置において鉛直方向の最も下に位置する扉を支持し、通電されることで吸着力が弱まり扉を落下させる。よって、請求項１の効果に加え、扉の保持と落下とを容易に行うことができる。
【０００８】
請求項３記載の捕獲装置によれば、扉は、扉の落下位置で上方に位置する扉に干渉部が干渉する。干渉部によって、落下した扉を持ち上げ難くできるので、捕獲された野生動物が扉を持ち上げて隙間から逃げ出すことを防止できる。
請求項４記載の捕獲装置によれば、支柱の内の隣り合う支柱間の上部に横部材が架設され、横部材は、扉の保持位置で扉の厚さ方向に扉に重ねて落下不能に配置される固定板を備えている。地面から固定板の下端までの間を複数枚の扉が塞ぐようにすれば、固定板および扉によって囲いを設けることができる。固定板は落下装置が不要なので、請求項３の効果に加え、捕獲装置の機構を簡素化できる。
【０００９】
請求項５記載の捕獲装置によれば、扉は、扉の落下位置で横部材に干渉部が干渉する。干渉部によって、落下した扉を持ち上げ難くできるので、請求項１，２又は４の効果に加え、捕獲された野生動物が扉を持ち上げて隙間から逃げ出すことを防止できる。
【００１０】
請求項６記載の捕獲装置によれば、横部材は、横部材で囲まれた領域を覆う網状体が取り付けられているので、請求項１，２，４又は５の効果に加え、支柱や扉をよじ登るサル等の野生動物を捕獲できる。
【００１１】
【図面の簡単な説明】
【００１２】
【図１】本発明の第１実施の形態における捕獲装置（扉が保持位置にあるとき）の斜視図である。
【図２】捕獲装置（扉が落下位置にあるとき）の斜視図である。
【図３】パネル（扉が保持位置にあるとき）の正面図である。
【図４】図３のＩＶ−ＩＶ線におけるパネルの断面図である。
【図５】パネル（扉が落下位置にあるとき）の正面図である。
【図６】図５のＶＩ−ＶＩ線におけるパネルの断面図である。
【図７】第２実施の形態における捕獲装置の斜視図である。
【図８】第３実施の形態における捕獲装置を構成するパネル（扉が落下位置にあるとき）の斜視図である。
【図９】パネル（扉が保持位置にあるとき）の斜視図である。
【図１０】落下装置の正面図である。
【図１１】パネル（扉が落下位置にあるとき）の斜視図である。
【図１２】野生動物を捕獲するときのパネルの平面図である。
【図１３】扉を保持位置にするときのパネルの平面図である。
【図１４】扉が保持位置にあるときのパネルの平面図である。
【発明を実施するための形態】
【００１３】
以下、本発明の好ましい実施の形態について添付図面を参照して説明する。図１及び図２を参照して第１実施の形態における捕獲装置１０の概略構成について説明する。図１は本発明の第１実施の形態における捕獲装置１０（扉２２，２３を開けた状態）の斜視図であり、図２は捕獲装置１０（扉２２，２３を閉じた状態）の斜視図である。なお、図２は檻１９を図示するため、パネル６０の図示が省略されている。
【００１４】
捕獲装置１０は、イノシシ、シカ、イタチ、キツネ、タヌキ等の野生動物を捕獲するために山間部近郊などに設置される装置であり、支柱１１，１２，１３，１４間に配置した扉２２，２３を地面から離隔して保持し、扉２２，２３の下を野生動物が通過して支柱１１，１２，１３，１４で囲まれた領域（捕獲領域）に進入した後、扉２２，２３を落下させて野生動物を捕獲する装置である。
【００１５】
図１及び図２に示すように捕獲装置１０は、複数（本実施の形態では１３本）の支柱１１，１２，１３，１４と、支柱１１，１２，１３，１４の内の隣り合う支柱間に重ねて配置される複数枚（本実施の形態では２枚）の扉２２，２３とを備えている。捕獲装置１０は、本実施の形態では、上下が開放された平面視方形の箱状に形成されており、支柱１１，１３が四隅に配置され、支柱１１，１３の間に支柱１２，１４が配置されている。
【００１６】
支柱１１，１２，１３，１４は、並べた２本の溝形鋼を接合して形成される部材である。支柱１１，１２，１３，１４の内の隣り合う２本の支柱の上端に棒状の第１部材１５（横部材）の両端が接合され、支柱１１，１２，１３，１４の内の隣り合う２本の支柱の下端に板状の第２部材１６の両端が接合される。第２部材１６は地面に接する部材であり、野生動物に警戒され難くするため、地面に第２部材１６を埋めたり第２部材１６に土や草などを被せたりして設置される。
【００１７】
支柱１３，１４間に、縦長の矩形の枠状に形成された枠部材１７が配置される。枠部材１７は溝形鋼により形成されており、支柱１３，１４に連結されている。枠部材１７は、溝形鋼の溝内に扉板１８の両側が挿入され、檻１９の側面の矩形の開口部が下部に溶接されている。枠部材１７は、矩形のベニヤ板などの木製の板状の固定板２０が、檻１９より上方の背面側に固定されている。檻１９は、捕獲した野生動物を収容するための金属製の格子状の部材（中から外を見通すことができる）であり、支柱１１，１２，１３，１４によって囲まれた方形の領域の外側に配置されている。
【００１８】
扉板１８は、矩形のベニヤ板などの木製の板状の部材（中から外を見通すことができない）であり、上端にロープ１８ａが取り付けられている。ロープ１８ａを緊張させて扉板１８を吊り上げ、固定板２０と扉板１８とを重ねることで檻１９の開口部が開放される。扉板１８を吊り上げたロープ１８ａを緩めると、枠部材１７内を扉板１８が落下して檻１９の開口部が閉鎖される。枠部材１７は、檻１９の上方に固定板２０が固定されているので、扉板１８が落下した後に枠部材１７に開口ができることを防止できる。
【００１９】
支柱１１，１２，１３，１４の内の隣り合う２本の支柱の上部に固定板２１（横部材）の両側が接合されている。固定板２１は、第１部材１５及び第２部材１６と鉛直方向にそれぞれ間隔をあけて第１部材１５と第２部材１６との間に配置される板状の部材であり（例えば縦９０ｃｍ、横１８０ｃｍ）、ベニヤ板などの木材により形成されている。固定板２１は、ブラケットを介してボルト等によって支柱１１，１２，１３，１４に固定される。第１部材１５と固定板２１の上端との間は、磁石装置３６，３７の大きさ程度の間隔が設けられている。第２部材１６から固定板２１の下端までの高さは、野生動物に警戒され難くすると共に野生動物が固定板２１の下を通って捕獲装置１０に進入できるように、野生動物の目線、体高、習性等を考慮して十分な高さ（例えば約１．７ｍ）に設定される。
【００２０】
扉２２，２３は、地面と離隔して所定の高さに保持され、落下することで上下が開放した箱状の囲いを作るための部材であり、支柱１１，１２，１３，１４の内の隣り合う２本の支柱間に重ねて配設されている。本実施の形態では、扉２２，２３は、矩形のベニヤ板などの木製の板状の部材により形成され（縦９０ｃｍ、横１８０ｃｍ）、支柱１１，１２，１３，１４を形成する溝形鋼の溝内に扉２２，２３の両側が挿入されている。
【００２１】
扉２２，２３は、扉２２，２３の下端が地面から離隔された（扉２２，２３を開けた）保持位置（地面から扉２２，２３の下端までの高さ約１．７ｍ）において（図１参照）、固定板２１の外面に重ねて配置される。支柱１１，１２，１３，１４に沿って扉２２，２３が落下した（扉２２，２３を閉じた）落下位置において（図２参照）、扉２３は扉２２の下方に位置する。扉２３は、外面に横桟２４が設けられている。横桟２４は、落下位置にある扉２３を保持位置まで押し上げるときに、捕獲装置１０を設置する作業者が使う持ち手である。
【００２２】
本実施の形態では、支柱１１，１２，１３，１４は茶色に、扉２３の外面、固定板２１及び扉２２は緑色に着色されている。捕獲装置１０を樹木の色合いに似せることができるので、山間部近郊などに設置された捕獲装置１０の視覚的な違和感を軽減できる。扉２３の内面（捕獲された野生動物が視認できる面）は、固定板２１及び扉２２とは異なる色に着色されている。特に野生動物が忌避する色に扉２３の内面が着色されたり、野生動物が忌避する模様や絵が扉２３の内面に表示されたりすると、扉２２，２３の内側に捕獲された野生動物を扉２３に突進させ難くできるので好ましい。
【００２３】
捕獲装置１０は、複数のパネル３０，４０，５０，６０、枠部材１７及び檻１９の結合により組み立てられている。パネル３０，４０，５０は左右方向の長さ（横幅）が互いに同一であり、パネル６０は、枠部材１７（檻１９）の分だけ、パネル３０，４０，５０より横幅が狭く作られている。
【００２４】
図３を参照して捕獲装置１０を構成するパネル３０，４０，５０，６０について説明する。図３はパネル３０（扉２２，２３を開けた保持位置にあるとき）の正面図である。パネル４０，５０，６０は、パネル３０と同様に構成されているので、パネル３０と同一の部分については同一の符号を付して説明する。図３に示すようにパネル３０は、扉２２，２３の両側を支持する一対の柱３１，３２を備えている。柱３１，３２は、柱３１，３２間に架け渡された第１部材１５及び第２部材１６により柱３１，３２間の間隔が保持される。
【００２５】
パネル３０は、柱３１の高さ方向の複数箇所に設けられた第１連結部３３により、パネル５０の柱３２の高さ方向の複数箇所に設けられた第２連結部５４（図１参照）に連結される。またパネル３０は、柱３２の高さ方向の複数箇所に設けられた第２連結部３４により、パネル４０の柱３１の高さ方向の複数箇所に設けられた第１連結部４３（図１参照）に連結される。第１連結部３３は、柱３１の正面に固着されると共に前方へ向かって水平に突出する平板状の部材であり、第２連結部３４は、柱３２の正面に固着されると共に前方および左右方向外側へ向かって水平に突出する平板状の部材である。
【００２６】
第１連結部３３及び第２連結部３４は、第１連結部４３及び第２連結部５４に対して、第２部材１６からの高さをそれぞれ板厚分だけ異ならせて柱３１，３２に配置されている。従って、パネル５０の隣にパネル３０を配置して第１連結部３３と第２連結部５４とを重ねることができ、パネル４０の隣にパネル３０を配置して第１連結部４３と第２連結部３４とを重ねることができる。第１連結部３３及び第２連結部３４、並びに、第１連結部４３及び第２連結部５４は、それらを重ね合わせたときの対応する位置に、板厚方向に貫通する孔部（図示せず）がそれぞれ形成されている。孔部にボルト３５をそれぞれ螺着することにより、第１連結部３３及び第２連結部５４が連結され、第１連結部４３及び第２連結部３４が連結される。
【００２７】
第１連結部３３及び第２連結部５４を介して結合された柱３１，３２により支柱１１が形成され、第１連結部４３及び第２連結部３４を介して結合された柱３１，３２により支柱１２が形成される。なお、パネル４０とパネル５０、パネル４０とパネル６０、枠部材１７（檻１９）とパネル６０、枠部材１７（檻１９）とパネル３０とは、いずれもパネル４０又はパネル５０とパネル３０との間と同様に連結される。支柱１３，１４は、それぞれパネル３０と枠部材１７との連結、パネル６０と枠部材１７との連結によって形成される。
【００２８】
パネル３０は、扉２２，２３を第２部材１６から離隔した状態に保持する磁石装置３６，３７（落下装置の一部）が、第１部材１５の長手方向の中央に並んで配置されている。磁石装置３６，３７は下面に被吸着部３８，３９の吸着面が形成された略円柱状の装置であり、吸着面付近に配置された永久磁石（図示せず）と電磁石（図示せず）とを備えている。電磁石はコイルが巻回されたコアを備え、コアは、吸着面付近の永久磁石の磁極と異なる永久磁石の面に吸着されている。各永久磁石は、扉２２，２３をそれぞれ支持できるだけの磁場の強さに設定されており、コイルは、電磁石が作る磁界の向きが永久磁石の磁場を弱める向きに巻回されている。磁石装置３６，３７は、遠隔操作される無線式の電源スイッチ（落下装置の一部、図示せず）が接続されており、遠隔操作によって電源スイッチが作動されるとコイルに通電される。磁石装置３６，３７は非通電時に永久磁石が被吸着部３８，３９を吸着し、通電時に永久磁石の磁場が弱まり、被吸着部３８，３９を吸着する吸着力が低下する。
【００２９】
図４から図６を参照してパネル３０の構造について説明する。図４は図３のＩＶ−ＩＶ線におけるパネル３０（扉２２，２３が保持位置にあるとき）の断面図であり、図５はパネル３０（扉２２，２３が落下位置にあるとき）の正面図である。
【００３０】
図４及び図５に示すように扉２２，２３は、磁石装置３６，３７の吸着面を吸着する磁性体からなる被吸着部３８，３９が上端にそれぞれ配置されている。本実施の形態では、扉２２，２３は、鉛直方向の長さが、固定板２１と同じ長さ（鉛直方向の長さ）に設定されている。磁石装置３６，３７は通電されると吸着力が低下し、その瞬間に扉２２，２３は自重で落下し始めるので、磁石装置３６，３７への通電は短時間で良い。よって、扉２２，２３を保持位置に固定し、任意に扉２２，２３を落下させるために磁石装置３６，３７へ供給する電力量を小さくできる。
【００３１】
また、落下する扉２２，２３に被吸着部３８，３９が取り付けられる一方、第１部材１５に磁石装置３６，３７が取り付けられているので、磁石装置３６，３７の配線（図示せず）を第１部材１５に固定することができる。落下する扉２２，２３に磁石装置が取り付けられる場合には、落下の衝撃等によって断線等が生じ易くなるところ、本実施の形態によれば、第１部材１５に磁石装置３６，３７の配線が固定されるので、断線等を生じ難くすることができる。
【００３２】
図４及び図６に示すように柱３１は、扉２２の下方に位置する長手方向の中央に、第２部材１６と距離を設けて、対向する柱３２へ向かって延びる突起２５が突設されている。同様に柱３２は、対向する柱３１へ向かって延びる突起（図示せず）が、突起２５と同じ高さに突設されている。互いに対向する一組の突起２５間の間隔は、扉２２の左右方向の長さ（幅）より狭く設定されている。従って、磁石装置３６への通電によって落下する扉２２は、突起２５に下端が当接して突起２５の位置で停止する（図４参照）。柱３１，３２は、扉２３の落下を制限する突起２５が扉２３の下方に設けられていないので、磁石装置３７への通電によって落下する扉２３は、第２部材１６（地面）の位置で停止する（図５及び図６参照）。
【００３３】
図６に示すように突起２５は、第２部材１６から突起２５までの高さ（柱３１の長手方向における距離）が、扉２３の高さ以下に設定されている。また突起２５は、突起２５から固定板２１の下端までの高さ（柱３１の長手方向における距離）が、扉２２の高さ以下に設定されている。これにより、磁石装置３６，３７に通電して落下した扉２２，２３は厚さ方向に一部が互いに重なるので、地面と固定板２１との間に中から外を見通すことのできない塀を形成する。
【００３４】
図４及び図６に示すように扉２３は、扉２２へ向かって張り出す第１張出部２６が背面に設けられており、扉２２は、扉２３へ向けて張り出す第２張出部２７が前面に設けられている。第１張出部２６は、鉛直方向において第２張出部２７と重なる大きさに形成されており、第２張出部２７より鉛直方向下側に位置する。扉２２，２３が落下した後、横桟２４を利用して設置者が扉２３を開ける（押し上げる）と、第１張出部２６が第２張出部２７を押し上げるので、扉２２も扉２３と一緒に開ける（押し上げる）ことができる。
【００３５】
次に捕獲装置１０の組立方法について説明する。捕獲装置１０を山間部近郊などに設置する者は、複数のパネル３０，４０，５０，６０と、枠状体１７が溶接された檻１９とをトラック等の車両に積載して搬送する。パネル３０，４０，５０，６０、枠状体１７及び檻１９は車両に積載できる程度の大きさ（横幅）に作られている。また、落下する扉２２，２３が２つに分けられているので、扉が分割されていない場合と比較して、扉２２，２３を支持する柱３１，３２の長さを短くできる。よって、車両によるパネル３０，４０，５０，６０、枠状体１７及び檻１９の運搬を可能にできる。扉２２，２３に配置された被吸着部３８，３９が磁石装置３６，３７に吸着されると扉２２，２３は固定されるので、運搬中に扉２２，２３がスライドすることを防止できる。
【００３６】
設置場所で車両からパネル３０，４０，５０，６０、枠状体１７及び檻１９を降ろした後、第１連結部３３，４３や第２連結部３４，５４を用いてパネル３０，４０，５０，６０及び枠状体１７（檻１９）を連結し、支柱１１，１２，１３，１４を形成し、平面視多角形状の囲いを作る。檻１９の開口部は扉板１８で閉鎖しておく。パネル３０，４０，５０，６０及び枠状体１７（檻１９）の連結によって捕獲装置１０の囲いができるので、支柱１１，１２，１３，１４や扉２２，２３等を構成する資材を現地で組み立てるものと比較して、組立作業性に優れる。
【００３７】
次いで、磁石装置３６，３７に無線式の電源スイッチ（図示せず）を接続する。捕獲装置１０の囲いの内外に１台ずつカメラ（図示せず）を設置し、捕獲装置１０に近づいた野生動物を検出する赤外線センサ（図示せず）を設置する。赤外線センサの検出信号の入力があると設置者に通報される。カメラで撮影された映像は無線通信によって信号が送信され、捕獲装置１０から離れた場所に設置されたモニタ（図示せず）で映像化される。設置者は、捕獲装置１０から離れた場所に設置されたモニタで捕獲装置１０の内外の様子を監視できる。
【００３８】
次に捕獲装置１０の使用方法について説明する。捕獲装置１０は、支柱１１，１２，１３，１４で囲まれた領域（捕獲領域）内に餌が置かれ、扉２２，２３を地面から離隔した（開いた）状態で野生動物の進入を待つ。設置者は、赤外線センサの検出信号による通報があると、モニタ（図示せず）を見て、捕獲装置１０の内外の野生動物の数と行動とを確認しながら、タイミングを見計らって無線式の電源スイッチ（図示せず）を作動する。電源スイッチが入って磁石装置３６，３７に通電されると扉２２，２３が瞬時に落下する。野生動物は扉２２，２３、固定板２１及び扉板１８に囲まれ捕獲される。捕獲された野生動物は扉２２，２３、固定板２１及び扉板１８に遮られて外を見ることができないので、習性で、扉２２，２３、固定板２１及び扉板１８への突進などを試みることがない。よって、扉２２，２３、固定板２１及び扉板１８の損傷を防止できる。
【００３９】
捕獲後、ロープ１８ａを使い、扉板１８を吊り上げて檻１９の開口部を開けると視界が開かれるので、そこから逃げられると錯覚した野生動物は、自ら檻１９の中へ移動する。設置者は、扉板１８を下ろして檻１９の開口部を閉じた後、安全に檻１９の外から止め刺しができる。また、扉板１８を下ろして檻１９の開口部を閉じた後、枠状体１９を取り外せば、野生動物が収容された檻１８を移動させることができる。
【００４０】
この捕獲装置１０によれば、支柱１１，１２，１３，１４で囲まれた領域内に進入した野生動物を囲む塀を、重ねた複数の扉２２，２３の位置を上下にずらして作るので（図５及び図６参照）、扉２２，２３で作る塀と同じ高さの塀を一枚の扉で作る捕獲装置（以下「従来の捕獲装置」と称す）に比べて、地面から離隔された扉２２，２３の上端の高さ（全高）を低くできる。地面から離隔した状態における扉２２，２３の下端の高さと、従来の捕獲装置の扉の下端の高さとを同じにすれば、捕獲装置１０は、扉２２，２３の上端の高さを、従来の捕獲装置の扉の縦寸法と扉２２，２３の縦寸法との差分だけ低くできるからである。山間部近郊などに設置された扉２２，２３の上端の高さ（全高）を低くできるので、圧迫感を低減できる。また、全高を低くして風の影響を受け難くできるので、強風で支柱１１，１２，１３，１４や扉２２，２３が損傷したり捕獲装置１０が倒壊したりすることを抑制できる。
【００４１】
扉２２，２３の上端の高さを低くできるので、扉２２，２３を支持する柱３１，３２の長さも、従来の捕獲装置と比較して、その分だけ短くできる。柱３１，３２を短くできるので、車両によるパネル３０，４０，５０，６０の搬送性や捕獲装置１０の組立作業性を向上できる。
【００４２】
また、地面から離隔した状態における扉２２，２３の上端の高さと、従来の捕獲装置の扉の上端の高さとが同じであれば、捕獲装置１０は、扉２２，２３の下端の高さを、従来の捕獲装置の扉の縦寸法と扉２２，２３の縦寸法との差分だけ、従来の捕獲装置の扉の下端より高くできる。地面から扉２２，２３の下端までの距離を大きくできるので、見通しを良くすることができ、扉２２，２３を野生動物の視野に入れ難くできる。野生動物に圧迫感を与え難くできるので、警戒心の強いイノシシやシカ等の野生動物が、支柱１１，１２，１３，１４で囲まれた領域（捕獲領域）内へ進入し易くできる。
【００４３】
扉２２，２３は、磁石装置３６，３７の吸着力が低下すると静かに落下を開始するので、扉２２，２３が落下して地面に接地するまでの間に、捕獲装置１０が発生する音に驚いた野生動物が扉２２，２３の下を潜って逃げ出すことを防止できる。よって、支柱１１，１２，１３，１４で囲まれた領域（捕獲領域）内へ進入した野生動物の取り逃がしを防止できる。
【００４４】
扉２２，２３が磁石装置３６，３７に吸着された状態では、扉２３は固定板２１及び扉２３に重なっているので、固定板２１及び扉２３に遮られて、捕獲領域の内側から扉２３は視認できない。磁石装置３６，３７に通電して扉２２，２３を落下させると、捕獲領域の内側から扉２３を視認できるようになる。扉２２，２３が落下すると、固定板２１及び扉２２と異なる色に着色された扉２３の内面（捕獲された野生動物が視認できる面）が突然現れるので、捕獲領域内の野生動物を驚かせることができる。その結果、捕獲領域内の野生動物に扉２３への突進を躊躇させることができる。
【００４５】
次に図７を参照して第２実施の形態について説明する。第１実施の形態では、パネル３０，４０，５０，６０及び枠状体１７で囲まれた矩形枠体の上部が開放される場合について説明した。これに対し第２実施の形態では、パネル３０，４０，５０，６０及び枠状体１７で囲まれた矩形枠体の上部が網状体７３で覆われる捕獲装置７０について説明する。なお、第１実施の形態で説明した部分と同一の部分については、同一の符号を付して以下の説明を省略する。図７は第２実施の形態における捕獲装置７０の斜視図である。
【００４６】
図７に示すように捕獲装置７０は、複数の支柱１１，１２，１３，１４と、支柱１１，１２，１３，１４の内の隣り合う支柱間に重ねて配設される複数枚（本実施の形態では２枚）の扉２２，２３とを備え、パネル３０，４０，５０，６０及び枠状体１７の連結によって平面視矩形状に形成されている。
【００４７】
捕獲装置７０は、３本の支柱１１を作るパネル３０，５０間、支柱１３を作るパネル３０，６０間をそれぞれ斜交いに横切る４本の棒状の補強材７１が、第１部材１５に固定されている。補強材７１がパネル３０，５０，６０に固定されているので、パネル３０，５０やパネル３０，６０のなす角（略９０°）を保持できる。その結果、扉２２，２３等に外力が加わったときのパネル３０，５０，６０同士の連結部分（第１連結部３３等）の変形等を防止できるので、捕獲装置７０の破損を防止できる。
【００４８】
捕獲装置７０は、互いに対向するパネル４０間を連結する４本の棒状の補強材７２が、第１部材１５に固定されている。補強材７２がパネル４０に固定されているので、パネル４０間の距離を保持できる。その結果、扉２２，２３等に外力が加わったときのパネル４０の連結部分（第２連結部３４等）の変形等を防止できるので、捕獲装置７０の破損を防止できる。
【００４９】
網状体７３は、柔軟性のある糸等が格子状に結び付けられたネット（結節網）であり、パネル３０，４０，５０，６０の上端の第１部材１５及び枠状体１７の上辺に周囲が固定され、中央部分が補強材７１，７２の上に載せられている。パネル３０，４０，５０，６０及び枠状体１７で囲まれた矩形枠体の上部が網状体７３によって覆われるので、サル等の野生動物が固定板２１、扉２２，２３をよじ登って逃げ出すことを防止できる。また、補強材７１，７２により、パネル３０，４０，５０，６０に囲まれた領域内に柔軟な網状体７３が垂れ下がることを防止できるので、垂れ下がった網状体７３を野生動物が破ってしまうことを防止できる。
【００５０】
次に図８から図１４を参照して第３実施の形態について説明する。第１及び第２実施の形態では、扉２２，２３毎に磁石装置３６，３７が設置される場合について説明した。これに対し第３実施の形態では、一つの磁石装置９４（落下装置９０）が複数の扉２２，２３を支持する場合について説明する。なお、第１実施の形態と同一の部分については、同一の符号を付して以下の説明を省略する。図８は第３実施の形態における捕獲装置を構成するパネル８０（扉２２，２３が落下位置にあるとき）を捕獲領域の外側から見た斜視図であり、図９は捕獲領域の内側から見たパネル８０（扉２２，２３が保持位置にあるとき）の斜視図である。パネル８０は、第１及び第２実施の形態で説明した捕獲装置１０，７０のパネル３０，４０，５０，６０に代えて設置される。なお、図８では隣り合うパネル８０同士を連結する第１連結部３３及び第２連結部３４の図示が省略されている（図９、図１１において同じ）。
【００５１】
図８に示すようにパネル８０は、柱３１，３２を形成する溝形鋼の溝内に、扉２２，２３の厚さ方向の遊びを伴って、扉２２，２３の両側が挿入されている。パネル８０は、扉２２の上縁に張出部８１が設けられている。張出部８１は、固定板２１と反対の方向（パネル８０の厚さ方向）へ向かって扉２２の両側から突出する板状の部材である。張出部８１は、扉２３から迫り出すように、扉２２からの突出長さが扉２２と扉２３との隙間より大きく設定されている。
【００５２】
扉２３は、上縁の中央に係止部８２が設けられている。係止部８２は、落下装置９０に吊り下げられる板状の部材であり、扉２３の外面に下部が固定され、扉２３の上縁から上方へ向かって突出している。係止部８２は、扉２２側（扉２３の内面側）の斜め下方へ向けて突出する爪８３が上端に設けられている。爪８３は、落下装置９０に係合する部位である。
【００５３】
図９に示すように落下装置９０は、扉２２，２３を第１部材１５側に落下可能に保持するための装置である。第２部材１６は、柱３１，３２を繋ぐ保護板８４が設けられている。保護板８４は、第２部材１６の奥行方向（第２部材１６の短手方向）の中央から第１部材１５へ向けて突出する帯状の部材である。扉２３が落下した状態では、保護板８４は、扉２３の内側（図９紙面奥側）に位置する。
【００５４】
柱３１，３２は、扉２２の下方に位置する長手方向の中央に、第２部材１６と距離を隔てて、それぞれ対向する柱３１，３２へ向かって突出する突起８５が設けられている。突起８５は、扉２２の落下位置を規定して、扉２３の落下位置（高さ）と扉２２の落下位置とを異ならせるための部材であり、落下した扉２２の下端が上面に当接する。突起８５は、柱３１，３２の内側（図９紙面奥側）から外側（扉２３側）へ向かうにつれて下降する傾斜面が上面に形成されている。突起８５の上面に傾斜面が形成されており、柱３１，３２（溝形鋼）の溝内に扉２２の厚さ方向の遊びを伴って扉２２の両側が挿入されているので、突起８５で停止した扉２２は、柱３１，３２の内側（図９紙面奥側、固定板２１側）へ向けて上端側が傾斜する。
【００５５】
図１０を参照して落下装置９０について説明する。図１０は落下装置９０の正面図であり、扉２２，２３を保持位置に保持した状態が図示されている。落下装置９０は、第１部材１５に取り付けられる台部９１と、台部９１に固定される磁石装置９４と、係止部８２を吊り下げるアーム９５とを備えている。台部９１は、フランジ９２及びウェブ９３からなる山形鋼により形成されており、第１部材１５の側面（図１０紙面手前）にウェブ９３が溶接され、磁石装置９４がフランジ９２の上面に取り付けられている。磁石装置９４は、磁性体からなる被吸着部１０１を吸着する装置である。
【００５６】
磁石装置９４は、上面に吸着面が形成された略円柱状の装置であり、吸着面付近に配置された永久磁石（図示せず）と電磁石（図示せず）とを備えている。電磁石はコイルが巻回されたコアを備え、コアは、吸着面付近の永久磁石の磁極と異なる磁極をもつ永久磁石の面に吸着されている。永久磁石は、扉２２，２３を支持できるだけの磁場の強さに設定されており、コイルは、電磁石が作る磁界の向きが永久磁石の磁場を弱める向きに巻回されている。よって、磁石装置９４は非通電時に永久磁石が被吸着部１０１を吸着し、通電時に永久磁石の磁場が弱まり、被吸着部１０１を吸着する吸着力が低下する。
【００５７】
アーム９５は第１端９６及び第２端９７を備える直線の棒状の部材であり、ウェブ９３に設けられた支点１０５に、アーム９５の中央下部に設けられた支点受け１０４が支持されている。支点１０５は、フランジ９２と平行となるように配置されている。支点１０５は、回転方向の遊びを伴って（支点受け１０４と支点１０５との間に隙間（遊び）を有して）アーム９５を支持する。アーム９５は、磁石装置９４が被吸着部１０１を吸着した状態で、上面が略水平となるように配置されている。
【００５８】
第１端９６は、係止部８２の上端に形成された爪８３に係合する部位であり、第２端９７は、被吸着部１０１が配置される部位である。第２端９７に孔部９８が形成されている。孔部９８の方向は支点１０５と平行である。孔部９８は、固定部１００に設けられた軸９９が挿入される部位である。固定部１００は被固着部１０１が固定される断面Ｌ形の部材であり、軸９９が設けられている。軸９９の向きは支点１０５の向きと平行である。軸９９は固定部１００（被吸着部１０１）を揺動可能に支持する。
【００５９】
被吸着部１０１は磁性体で形成された有底円筒状の部材であり、底部１０２の第１面が固定部１００に固着されている。底部１０２の第１面と反対側の第２面が、磁石装置９４の吸着面に吸着される。側部１０３は、底部１０２の周りから第２面側へ突出する筒状の部位であり、底部１０２を磁石装置９４が下方から吸着したときに磁石装置９４の側方（周囲）に配置される。
【００６０】
アーム９５は、支点１０５から第１端９６側の第１部分１０６と、支点１０５から第２端９７側の第２部分１０７とからなる。第２部分１０７は、アーム９５の第２端９７に吊り下げられた固定部１００及び被吸着部１０１とアーム９５とを備えている。第１部分１０６及び第２部分１０７は、外力が付与されない状態で、第２部分１０７が傾くように第１部分１０６及び第２部分１０７のつり合いが設定されている。即ち落下装置９０は、第１部分１０６を支点１０５回りに回転させる力のモーメントを、第２部分１０７を支点１０５回りに回転させる力のモーメントより小さくするように支点１０５の位置が設定されている。また、第２部分１０７の長さは、第１部分１０６の長さより大きく設定されている。
【００６１】
次に落下装置９０の動作について説明する。磁石装置９４は非通電時に被吸着部１０１を吸着し、アーム９５を略水平に維持するので、アーム９５の第１端９６に爪８３を係合させることができる。爪８３がアーム９５に係合して扉２３の係止部８２がアーム９５に吊り下げられた状態では、扉２３が張出部８１（図９参照）を支持するので、張出部８１によって扉２２が吊り下げられる。磁石装置９４に通電すると磁石装置９４の磁場が弱まるので、磁石装置９４が被吸着部１０１を吸着する吸着力が低下し、扉２２，２３の荷重によって支点１０５回りにアーム９５が傾く。アーム９５の傾きが大きくなると第１端９６から爪８３が滑り落ちるので、重力によって扉２２，２３が落下する。爪８３が外れたアーム９５は、支点１０５回り（図１０反時計回り）に回転する。
【００６２】
爪８３がアーム９５から外れると、第１部分１０６と第２部分１０７とのつり合いにより、磁石装置９４が被吸着部１０１を吸着しなくても（アーム９５に外力を付与しない状態で）、アーム９５は回転方向を変える（図１０時計回り）。アーム９５の回転に伴い磁石装置９４に被吸着部１０１が近づくので、非通電時に磁石装置９４が被吸着部１０１を吸着する。
【００６３】
この落下装置９０によれば、重ねて配置される扉２３へ向けて扉２２から張出部８１が張り出し、張出部８１により扉２２，２３は鉛直方向に干渉する。磁石装置９４は、保持位置にある扉２２，２３のうち鉛直方向の最も下に位置する扉２３を支持し、通電により吸着力が弱まり扉２２，２３を落下させるので、扉２２，２３の保持と落下とを容易に行うことができる。扉２２，２３を一つの磁石装置９４で支持するので、扉２２，２３の数に比べて磁石装置９４の数を少なくできる。磁石装置９４の数を少なくできる分、磁石装置９４に要するコストを削減できる。
【００６４】
アーム９５を介して扉２２，２３の荷重を支点１０５及び磁石装置９４が分けて支えるので、扉２２，２３の全ての荷重を磁石装置が支える場合に比べて、磁石装置９４が支持しなければならない荷重を小さくできる。扉２２，２３の全ての荷重を支える場合には吸着力の大きな磁石装置が必要となるが、支点１０５を設けることにより、落下装置９０は簡易な構造で大きな荷重を支えることができる。磁石装置９４は過大な吸着力が要求されないので、磁石装置９４を小型化できる。
【００６５】
第２部分１０７は第１部分１０６より長いので、第１部分１０６が第２部分１０７より長い場合に比べて、磁石装置９４は小さい力で扉２２，２３を支えることができる。磁石装置９４に要求される吸着力を小さくできるので、磁石装置９４を小型化できる。
【００６６】
磁石装置９４の通電時に、アーム９５を傾けて第１端９６から扉２２，２３を重力によって落下させるので、作動音を生じ難くできる。アーム９５から扉２２，２３が落下した後は、第１部分１０６と第２部分１０７とのつり合いにより、アーム９５に外力を付与しなくても、磁石装置９４に被吸着部１０１が近づくようにアーム９５は回転する。磁石装置９４は非通電時に被吸着部１０１を吸着して、扉２２，２３の保持位置にアーム９５を静止させる。アーム９５に外力を付与しなくてもアーム９５を初期位置（扉２２，２３を上方に設置できる位置）に復元できるので、扉２２，２３を上方に設置するときの作業性に優れる。
【００６７】
アーム９５から扉２２，２３が落下すると、磁石装置９４に被吸着部１０１が近づくようにアーム９５は回転し、磁石装置９４は非通電時に被吸着部１０１を吸着する。磁石装置９４の吸着面は、アーム９５から扉２２，２３を落下させるときに露呈し、扉２２，２３を落下させた直後に被吸着部１０１（底部１０２）に覆われる。磁石装置９４の吸着面が露呈する時間を短くできるので、吸着面にゴミや埃等の異物が付着することを抑制できる。
【００６８】
被吸着部１０１は、底部１０２の周りから筒状の側部１０３が突出する。磁石装置９４が底部１０２を下方から吸着したときに磁石装置９４の側方に側部１０３が配置されるので、磁石装置９４に被吸着部１０１を被せることができる。磁石装置９４の上にゴミや埃等の異物が積もることを側部１０３が防ぐので、吸着面と被吸着部１０１との間に介在する異物により吸着力が低下することを抑制できる。
【００６９】
落下装置９０はアーム９５の第２端９７に軸９９が設けられる。軸９９は被吸着部１０１を揺動可能に支持するので、磁石装置９４に対する被吸着部１０１（底部１０２）の角度を調整できる。磁石装置９４の吸着面に正対するように被吸着部１０１（底部１０２）の角度が勝手に調整されるので、磁石装置９４に被吸着部１０１を強固に吸着できる。磁石装置９４の吸着面に対して垂直方向へ底部１０２が引きはがされるように吸着するときが、吸着力を最も大きくできるからである。
【００７０】
支点１０５は回転方向の遊び（支点受け１０４と支点１０５との隙間）を伴ってアーム９５（支点受け１０４）を支持するので、遊びの分だけ磁石装置９４に対する被吸着部１０１（底部１０２）の角度を調整できる。磁石装置９４の吸着面に正対するように被吸着部１０１（底部１０２）の角度が勝手に調整されるので、磁石装置９４に被吸着部１０１を強固に吸着できる。
【００７１】
扉２２，２３が落下すると、柱３１，３２間の開口が固定板２１及び扉２２，２３で塞がれる。図１１は内面側から見たパネル８０（扉２２，２３が落下位置にあるとき）の斜視図である。図１１に示すようにパネル８０は、落下位置において扉２３の内面側に保護板８４が配置されている。落下した扉２３は下端が第２部材１６に突き当り、保護板８４は第２部材１６から上方へ向かって突出しているので、扉２２，２３に取り囲まれて捕獲された野生動物は、保護板８４に遮られて扉２３の下端と第２部材１６との間に鼻や手足等を差し込むことができない。よって、野性動物が鼻や手足等を使って扉２３を持ち上げられないようにできる。
【００７２】
パネル８０は、扉２２の内面の上端付近に干渉部１１０が設けられている。干渉部１１０は三角柱状の部材であり、扉２２の幅方向の両側の２か所に配置されている。干渉部１１０は、鉛直方向の最上に位置する上端面が扉２２から最も突出し、上端面から鉛直下方へ向かうにつれて扉２２に近づく傾斜面を有している。干渉部１１０は、扉２２が落下するときに固定板２１に当たらないように、扉２２からの突出高さが設定されている。扉２２の落下を干渉部１１０及び固定板２１が妨げないようにするためである。
【００７３】
扉２２は、突起８５に下端が当接すると、柱３１，３２の内側（図１１紙面手前側、固定板２１側）へ向けて上端側が傾斜し、干渉部１１０は固定板２１の鉛直下方に位置する。扉２２，２３に取り囲まれて捕獲された野生動物が逃げようとして、鼻や手足を使って扉２２を持ち上げようとしても、扉２２の上端側を固定板２１から遠ざけるようにしないと干渉部１１０が固定板２１に突き当たる。よって、扉２３を持ち上げ難くして野生動物を逃がさないようにできる。
【００７４】
図１１に示すように、固定板２１は下端に保持体１１１が設けられている。保持体１１１は、支軸１１２により固定板２１の下端面に回転可能に取り付けられており、上面に凸部１１３が設けられている。凸部１１３は、保持体１１１の上面から鉛直上方へ向けて突出する部位であり、凸部１１３が固定板２１に干渉して保持体１１１が支軸１１２回りに回転できる範囲が制限される。
【００７５】
図１２から図１４を参照して保持体１１１の使用方法について説明する。図１２は野生動物を捕獲するときのパネル８０の平面図であり、図１３は扉２２，２３を保持位置にするときのパネル８０の平面図であり、図１４は扉２２，２３が保持位置にあるときのパネル８０の平面図である。
【００７６】
図１２に示すように、保持体１１１は平面視が横長の矩形状の部材であり、保持体１１１の短手方向の寸法は、固定板２１の厚さより大きく設定されている。支軸１１２は、保持体１１１の長手方向の中心から一端側にずれた短手方向の中心の位置に設けられている。保持体１１１は、保持体１１１の他端側の長手方向の寸法が、固定板２１及び扉２２，２３を重ねた寸法（厚さ）より大きく設定されている。凸部１１３は、保持体１１１の一端側の頂点付近に設けられている。
【００７７】
野生動物を捕獲するとき（捕獲領域に野生動物が入るのを待つ間）は、扉２２，２３は上方の保持位置に設置される。捕獲領域に野生動物が入ると扉２２，２３を落下させて捕獲するので、扉２２，２３の落下を妨げないように、保持体１１１は固定板２１の下に退避させておく。保持体１１１の一端側の頂点付近に凸部１１３が設けられているので、凸部１１３を固定板２１に当てて保持体１１１の位置を規制できる。
【００７８】
扉２２，２３を落下させて野生動物を捕獲し、捕獲した野性動物を処理した後は、次の野生動物を捕獲する準備のため、扉２２，２３を持ち上げて落下装置９０に固定する。扉２２，２３を一括して持ち上げることは可能であるが、一枚ずつ持ち上げた方が作業は楽である。まず、落下した扉２２の上端側の干渉部１１０を固定板２１から遠ざけるようにしながら、扉２２を持ち上げる。保持体１１１の上方まで扉２２の下端を持ち上げた後、図１３に示すように、凸部１１３が固定板２１に当たるまで支軸１１２回りに保持体１１１を回転させ、扉２２を保持体１１１の上に乗せる。落下装置９０の代りに、保持体１１１により扉２２を保持できる。
【００７９】
次に扉２３を持ち上げる。保持体１１１の上方まで扉２３の下端を持ち上げた後、図１４に示すように、保持体１１１が固定板２１に略直交するように支軸１１２回りに保持体１１１を回転させ、扉２２，２３を保持体１１１の上に乗せる。落下装置９０が扉２３を保持するまで、保持体１１１により扉２２，２３を保持できる。
【００８０】
扉２３に取り付けられた係止部８２の爪８３を落下装置９０のアーム９５に引掛けると、扉２３は落下装置９０に吊り下げられる。扉２２は張出部８１により扉２３に吊り下げられる。図１２に示すように、凸部１１３が固定板２１に当たるまで支軸１１２回りに保持体１１１を回転させ、扉２２，２３が乗った保持体１１１を取り去る。これにより野生動物を捕獲する準備が整う。落下装置９０に通電すると、扉２２，２３は落下する。
【００８１】
以上のように支軸１１２で固定板２１に保持体１１１が取り付けられるので、落下装置９０が扉２２，２３を支持するまでの間、扉２２，２３を保持体１１１に仮置きできる。昼間など捕獲装置を使わないときは、扉２２，２３を保持体１１１の上に乗せておけば、万が一、落下装置９０が誤動作して磁石装置９４の吸着力が低下しても扉２２，２３の落下を防止できる。
【００８２】
以上、実施の形態に基づき本発明を説明したが、本発明は上記実施の形態に何ら限定されるものではなく、本発明の趣旨を逸脱しない範囲内で種々の改良変形が可能であることは容易に推察できるものである。扉２２，２３の大きさ等は当然のことながら適宜設定できる。また、２枚の扉２２，２３を落下させる場合について説明したが、必ずしもこれに限られるものではなく、扉を３枚以上にすることは当然可能である。
【００８３】
第１実施の形態では磁石装置３６，３７を用いて扉２２，２３を落下させる落下装置を備える場合、第２実施の形態では磁石装置９４が配置された落下装置９０を備える場合について説明したが、必ずしもこれに限られるものではなく、他の落下装置を用いることは当然可能である。他の落下装置としては、例えば特許文献１に記載された装置（ロープで扉を吊り上げた状態で保持し、ロープを放して扉の自重で落下させる装置）が挙げられる。
【００８４】
上記第１実施の形態では、磁石装置３６，３７を第１部材１５に取り付け、被吸着部３８，３９（磁性体）を扉２２，２３に取り付ける場合について説明したが、必ずしもこれに限られるものではなく、磁石装置３６，３７に代えて電磁石を第１部材１５に取り付け、被吸着部３８，３９に代えて永久磁石を扉２２，２３に取り付けることは当然可能である。この場合は、電磁石への通電によってコアの端面に発生する極と同極の面が、コアの端面と当接するように永久磁石を配置することで、吸着のときの電力消費をなくすことができる。
【００８５】
上記第１実施の形態では、磁石装置３６，３７を第１部材１５に取り付け、被吸着部３８，３９を扉２２，２３にそれぞれ取り付ける場合について説明したが、必ずしもこれに限られるものではない。磁石装置３６を省略すると共に、被吸着部３８に代えて扉２２に張出部８１（図８参照）を設けることは当然可能である。磁石装置３７に通電することで扉２３を落下させ、張出部８１を介して扉２３に支持された扉２２も一緒に落下させることができるからである。これにより磁石装置３６及び被吸着部３８を省略できるので、その分だけコストを削減できる。
【００８６】
上記各実施の形態では、扉２３の落下を規制する落下規制部として、柱３１，３２の互いに対向する面に設けた突起２５の場合を説明したが、必ずしもこれに限られるものではなく、他の落下規制部を採用することは当然可能である。他の落下規制部としては、長さを規制したロープやワイヤ等の線状体で扉２３の上部と第１部材１５との間を繋ぐもの、下方へ向かって延びる脚を扉２３の左右両側の下端に設けるもの等が例示される。これらの場合も、線状体や脚の長さを適宜設定することで、扉２３の落下量（地面からの扉２３の高さ）を規制できる。
【００８７】
上記各実施の形態では、パネル３０，４０，５０，６０，８０によって捕獲装置１０，７０を組み立てる場合について説明したが、必ずしもこれに限られるものではない。予め組み立てられたパネル３０，４０，５０，６０，８０を使わずに、支柱１１，１２，１３，１４や扉２２，２３等を構成する資材を現地へ運び込んで、現地で捕獲装置１０，７０を組み立てることは当然可能である。
【００８８】
上記各実施の形態では、パネル３０，４０，５０，６０，８０、枠状体１７に設けた第１連結部３３，４３、第２連結部３４，５４等を、ボルト３５を用いて連結する場合について説明したが、必ずしもこれに限られるものではない。クランプ等の結合金具やピン等を用いて第１連結部３３，４３、第２連結部３４，５４等を連結することは当然可能である。また、第１連結部３３，４３、第２連結部３４，５４等を使わずに、大きめのクランプ等の結合金具を使って柱３１，３２同士を結合することは当然可能である。
【００８９】
上記各実施の形態では、捕獲装置１０，７０の内外に設置されたカメラ（図示せず）が撮影した映像を監視した人が、無線式の電源スイッチ（図示せず）を作動させて扉２２，２３を落下させる場合について説明したが、必ずしもこれに限られるものではない。捕獲装置１０，７０の内外に設置されたカメラやセンサによって捕獲装置１０の内外の野生動物の数と行動とを検出し、その検出結果を用いて制御装置により磁石装置３６，３７や磁石装置９４に通電して扉２２，２３を落下させることは当然可能である。
【００９０】
上記第２実施の形態では、網状体７３が結節網の場合について説明したが、必ずしもこれに限られるものではなく、ラッセル網等の無結節網、綟子網、織網、紗等を用いることは当然可能である。
【００９１】
上記第３実施の形態では、扉２２，２３が２枚の場合に、落下した扉２２の干渉部１１０が上方に位置する固定板２１に干渉する場合について説明した。扉が３枚以上の場合には、落下した扉の干渉部１１０が、その扉よりも上方に位置する扉に干渉するようにすれば良い。
【００９２】
上記実施の形態で説明した捕獲装置１０，７０は、入口を有する囲い罠の一種であり、全方位に入口が設けられるものである。第３実施の形態で説明した落下装置９０は、その入口を開閉する扉２３を落下する装置である。しかし、落下装置９０が対象とする落下体は、必ずしも扉２３に限られるものではなく、他の落下体を対象にすることは当然可能である。他の落下体としては、例えば、一般的な囲い罠の入口を開閉する扉、地面に対向するように所定の高さに設置された捕獲ネットが挙げられる。
【符号の説明】
【００９３】
１０，７０  捕獲装置
１１，１２，１３，１４  支柱
１５        第１部材（横部材）
２１        固定板（横部材）
２２，２３  扉
２５，８５  突起（落下規制部）
３０，４０，５０，６０，８０  パネル
３１，３２  柱
３６，３７  磁石装置（落下装置の一部）
７３        網状体
８１        張出部
９０        落下装置
９４        磁石装置（落下装置の一部）
１１０      干渉部
【図１】
0006608717.tif 000002
【図２】
0006608717.tif 000003
【図３】
0006608717.tif 000004
【図４】
0006608717.tif 000005
【図５】
0006608717.tif 000006
【図６】
0006608717.tif 000007
【図７】
0006608717.tif 000008
【図８】
0006608717.tif 000009
【図９】
0006608717.tif 000010
【図１０】
0006608717.tif 000011
【図１１】
0006608717.tif 000012
【図１２】
0006608717.tif 000013
【図１３】
0006608717.tif 000014
【図１４】
0006608717.tif 000015